(57)【特許請求の範囲】
【請求項１】
容器本体に装着されるキャップにおいて、
キャップは、底壁を具え、
底壁には、注出口を開口する薄肉の弱化部により除去部が設けられており、
除去部の上面の所定の位置には、開口時に除去部を引上げる支柱が立設されるとともに、支柱には、プルリングが連設され、
プルリングは、支柱の両側から外側に向かって上方に円弧状に延びる連結部と、連結部の両端部を結び、前方向に向かって上方に傾斜した円環形に形成された指かけ部とを具え、
プルリングの指かけ部の中央部の断面積の大きさに比べ、プルリングの他の部分、少なくとも連結部の断面積の大きさが、より大きく形成されていることを特徴とする抜栓式キャップ。
【請求項２】
支柱は、除去部上面に少し離されて立設される二本の支柱であり、プルリングは、それぞれの支柱の上端部から外側に向かって上方に円弧状に延びる連結部と、両方の連結部の端部を結び、前方向に向かって上方に傾斜した円環形に形成された指かけ部とを具えており、それぞれの支柱の断面積の大きさが、プルリングの指かけ部の中央部の断面積の大きさに比べ、より大きく形成されていることを特徴とする請求項１記載の抜栓式キャップ。
【発明の詳細な説明】
【技術分野】
【０００１】
本発明は、抜栓式キャップに関するものである。
【背景技術】
【０００２】
内容液を収納する容器の口筒部に装着するキャップにおいて、キャップの除去部に設けたプルリングを引き上げ、開口を開設するようにした抜栓式キャップは従来より知られている。
また、抜栓の際に指を掛け易くするために、キャップの除去部に立設したＶ字状に形成した支柱の各先端にプルリングを形成した抜栓式キャップも従来より知られている（例えば、特許文献１参照）。
【特許文献１】特開２００１−３２２６６３号公報
【発明の開示】
【発明が解決しようとする課題】
【０００３】
しかしながら、特許文献１の従来の抜栓式キャップでは、抜栓の際に、プルリングの形状が複雑に変化するため、リングとして強度が弱いと、リングを引張るときにプルリングの一部が伸びてしまったり、切断してしまったりして抜栓できないという問題があった。
特に、一般的に知られている、プルリングの一部に直線状に形成した支柱を連設しているタイプのものに比べると、Ｖ字状に形成した支柱の各先端とプルリングとの連結部分付近は、伸び易い傾向にある。
【０００４】
本発明は、上記の問題を解決することを課題とし、抜栓の際のプルリングの変形に対して、プルリングの一部が伸びてしまったり、切断してしまったりすることを防止するようにした抜栓式キャップを提供することを目的とする。
【課題を解決するための手段】
【０００５】
本発明は、上記の課題を解決するため、抜栓式キャップとして、容器本体に装着されるキャップにおいて、キャップは、底壁を具え、底壁には、注出口を開口する薄肉の弱化部により除去部が設けられており、除去部の上面の所定の位置には、開口時に除去部を引上げる支柱が立設されるとともに、支柱には、プルリングが連設され、プルリングは、支柱の両側から外側に向かって上方に円弧状に延びる連結部と、連結部の両端部を結び、前方向に向かって上方に傾斜した円環形に形成された指かけ部とを具え、プルリングの指かけ部の中央部の断面積の大きさに比べ、プルリングの他の部分、少なくとも連結部の断面積の大きさが、より大きく形成されていることを特徴とする構成を採用する。
【０００６】
支柱の実施例として、支柱は、除去部上面に少し離されて立設される二本の支柱であり、プルリングは、それぞれの支柱の上端部から外側に向かって上方に円弧状に延びる連結部と、両方の連結部の端部を結び、前方向に向かって上方に傾斜した円環形に形成された指かけ部とを具えており、それぞれの支柱の断面積の大きさが、プルリングの指かけ部の中央部の断面積の大きさに比べ、より大きく形成されていることを特徴とする構成を採用する。
【発明の効果】
【０００７】
容器本体に装着されるキャップにおいて、プルリングは、支柱の両側から外側に向かって上方に円弧状に延びる連結部と、連結部の両端部を結び、前方向に向かって上方に傾斜した円環形に形成された指かけ部とを具え、プルリングの指かけ部の中央部の断面積の大きさに比べ、プルリングの他の部分、少なくとも連結部の断面積の大きさが、より大きく形成されていることによって、プルリングの指かけ部を引張った際に、プルリングの他の部分、特に、連結部が伸びたり、切断したりすることを防止することができるようになった。
【発明を実施するための最良の形態】
【０００８】
次に、本発明の抜栓式キャップについて、実施例をあげ、図面を参照して説明する。
【実施例１】
【０００９】
図１において、Ａは容器本体に嵌着されるとともに、上部に蓋体を装着して閉蓋されるキャップ本体である。
【００１０】
キャップ本体Ａは、図１、２に示すように、底壁１と、底壁１の周縁に立設される注出筒２とを具えている。
【００１１】
底壁１には、注出口を開口する薄肉の弱化部３により除去部４が設けられており、除去部４の上面の所定の位置には、開口時に除去部４を引上げる支柱５が立設されるとともに、支柱５には、プルリング６が連設されている。
【００１２】
図２に示すように、プルリング６は帯状物として、支柱５の両側から外側に向かって上方に円弧状に延びて連設された両側の連結部７と、連結部７の両端部を結び、前方向に向かって上方に傾斜した円環形に形成される指かけ部８とからなっている。
連結部７は、外側に向かって湾曲して延びるとともに上方向にも円弧状に延びている。
【００１３】
プルリング６を引張るときに、プルリング６を形成する帯状物が伸びたり、切れないためには、各部の引張り応力が設定の応力以上であることが必要である。
そのため、各部において掛かる引張り力の方向に対して一定の断面積を必要とする。
断面として、帯状物の長手方向（引張る方向）にほぼ直交する面（すなわち断面として最小断面）をとると、指かけ部８の中央部の断面積８ａに比べ、指かけ部８の支柱５側端部付近の断面積８ｂと、連結部７の断面積７ａと、連結部７の支柱５側部付近の断面積７ｂのそれぞれの大きさは、より大きく形成されている。
【００１４】
次に、本実施例の抜栓式キャップの作用効果について説明する。
本願のキャップ本体Ａは、プルリング６の連結部７が支柱５の両側から外側に向かって上方に延びるとともに、指かけ部８が前方向に向かって上方に傾斜しているので、底壁１から除去部４を抜栓する際に、指かけ部８に指を掛け易くなっている。
【００１５】
また、プルリング６の断面積８ｂ、断面積７ａ、断面積７ｂが、指かけ部８の断面積８ａの大きさに比べ、より大きく形成されているので、プルリング６の指かけ部８の前側部に指を掛けて引張るときに、底壁１から除去部４を抜栓する前に、プルリング６の一部の部分が伸びたり、切れてしまうことを防ぐことができる。
【００１６】
上記実施例では、プルリング６の連結部７を支柱５の両側から上方および前方外側に向かって延び、かつ、先端が外側に向かって弧状に湾曲して延びるように形成したが、別実施例として、図３に示すように、プルリング６の連結部７を、支柱５の両側から上方および前方外側に向かって直線的に延びるように形成しても、上記実施例と同様の効果が得られる。
【実施例２】
【００１７】
次に、第１実施例のプルリングの形状を変えた第２実施例について、説明する。
本実施例の第１実施例と同一の構成部分には、同一の符号を付して図示して詳しい説明を省略し、相違点を中心に説明する。
【００１８】
キャップ本体Ａの底壁１には、図４に示すように、注出口を開口する薄肉の弱化部３により除去部４が設けられており、除去部４の上面の所定の位置には、少し離れた位置に立設される二本の支柱１０と、それぞれの支柱１０から連設されたプルリング１１が設けられている。
【００１９】
プルリング１１は、二本の支柱１０のそれぞれの上端部から外側に向かって上方に円弧状に延びる連結部１２と、連結部１２の両方の先端を結び、前方向に向かって上方に傾斜した円環形に形成される指かけ部１３とを具えている。
【００２０】
図４（ａ）に示すように、指かけ部１３の中央部の断面積１３ａに比べ、指かけ部１３の他の断面積１３ｂと、連結部１２の断面積１２ａと、連結部１２の支柱１０側部付近の断面積１２ｂ、および、支柱１０の下端の断面積１０ａの大きさは、よりも大きく形成されている。
指かけ部１３の中央部の断面積１３ａに比べ、断面積の大きさがより大きければ、図４（ｂ）に示すように、プルリング１１の他の部分、および、支柱１０を断面形状を変えて形成してもよい。
【００２１】
次に、本実施例の抜栓式キャップの作用効果について説明する。
本実施例のキャップ本体Ａは、プルリング１１のそれぞれの連結部１２、および、それぞれの支柱１０が、支柱１０側から見るとＹ字状に形成されているので、指かけ部１３に指を掛け易くなっており、指かけ部１３を引張ると、除去部４に効率よく力が加わるので、弱い力で除去部４を底壁１から抜栓することができる。
【００２２】
プルリング１１の断面積１３ｂ、断面積１２ａ、断面積１２ｂ、および、支柱１０の断面積１０ａが、指かけ部１３の断面積１３ａの大きさに比べ、より大きく形成されているので、プルリング１１の指かけ部１３の前側部に指を掛けて引張るときに、底壁１から除去部４を抜栓する前に、プルリング１１、および、支柱１０の一部の部分が伸びたり、切れてしまうことを防ぐことができる。
【００２３】
また、プルリング１１の二本の支柱１０が、除去部４上面に少し離して立設されているため、キャップ本体Ａの成形の際、プルリング１１を成形する金型の抜きを簡単にすることができる。
その他の作用効果は、実施例１と同じである。
【００２４】
上記各実施例では、キャップ本体としたが、本発明は、抜栓式キャップの除去部を除去して開口するプルリングを設けた壁部に関しての発明であり、キャップ本体および上蓋の他の構成はどのようなものでもよく、また、キャップ本体ではなく、キャップ内に装着される中栓の除去部を除去して開口する壁部の構成としてもよい。
つまり、除去部を除去して開口する壁部であれば、本願のプルリングの構成を採用することができ、他の構成は上記各実施例の構成に限定されない。
【図面の簡単な説明】
【００２５】
【図１】本発明の第１実施例の抜栓式キャップの断面立面図である。
【図２】抜栓式キャップの底壁の説明図で、（ａ）は斜視図、（ｂ）は要部後面図である。
【図３】別実施例の抜栓式キャップ底壁の説明図で、（ａ）は斜視図、（ｂ）は要部後面図である。
【図４】第２実施例の抜栓式キャップの底壁の説明図で、（ａ）は実施例の斜視図、（ｂ）は（ａ）の変形実施例の斜視図である。
【符号の説明】
【００２６】
Ａ          キャップ
１          底壁
２          注出筒
３          弱化部
４          除去部
５、１０    支柱
６、１１    プルリング
７、１２    連結部
８、１３    指かけ部
７ａ、７ｂ、８ａ、８ｂ、１０ａ、１２ａ、１２ｂ、  １３ａ、１３ｂ    断面積
【図１】
0005269369.tif 000002
【図２】
0005269369.tif 000003
【図３】
0005269369.tif 000004
【図４】
0005269369.tif 000005